(57)【要約】【課題】一枚の紙材を使用し、接着剤を貼着する事無く、簡易折り曲げで、簡単に、確実に、紙容器を組立てることができ、また、環境問題対応した紙製トレー状容器を提供する。【解決手段】１枚のみの紙材から折り曲げ、組立てる紙製トレー状容器にあって、底面１の六辺形縁に連設した側壁面2、3を起立させ、これら側壁面２に連接する補助側壁片４、端側壁片５を内側へ折り曲げ、端側壁片５上の突起片５A、５B、５C、５Dを側壁面3上の切込み３A、３B、３C、３Dに差込み、係合連結させ、貼着等を行うことなく、1枚の紙から手組みで簡単に組立てられる。【選択図】  図４
2006232315.tif 000002
【特許請求の範囲】
【請求項１】
紙製トレー容器において、補助側壁片４及び、端受片５を折り曲げ線に沿って内側に折り曲げ、続けて、折り曲げ線に沿って端底片６、７を内側に折り曲げた後に、底面１の多辺形縁に連接した側壁面２、側壁面３を折り曲げ線に沿って内側に起立させて、端受片５の端に形成する突起片５A、５B、５C、５Dを側壁面３上の切込み３A、３B、３C、３Dに順次、挿入、係合連結し、最後に、端受片５の下方を側壁面３の下方に密着させ、突起片５A、５B、５C、５Dを押し上げ、切込み３A、３B、３C、３Dに深く挿入することにより、箱型容器の型崩れをより防ぎ、より強固な、接着剤を貼着すること無く、係合連結、固定し、上面開口の箱型構造の紙製トレー状容器。
【発明の詳細な説明】
【技術分野】
【０００１】
本発明は、茸類や青菜等の生鮮食品を収納するのに適した上部開口の箱型の紙製容器に関するものであり、特に、1枚の紙を折り曲げて、接着剤を貼着する事無く、簡単に組立てることが出来る紙製トレー状容器に係わるものである。
【背景技術】
【０００２】
従来、しめじ、えりんぎ等の茸類や青菜等の生鮮食品の包装用容器として、上部開口箱型のプラスチック製や発泡スチロール製のトレー容器が広く使用されている。
【０００３】
しかし、プラスチック製トレー容器の廃棄に際して、焼却したときに有毒ガスを発生し環境汚染の原因となる問題点等が指摘されるようになり、廃棄に問題が少なく、環境にやさしい紙を使用した紙製トレー状容器が脚光を浴びるようになっている。
上記の紙製トレー状容器は、一枚乃至、複数枚の紙材を折り曲げ、重合部に接着剤を貼着し、組立てるものが主流である。
【０００４】
【特許文献１】特開平  ９−１２４０２８号公報（第5頁、図１，３）              特開平１０−１９４２６４号公報（第４頁、図１，２）
【発明の開示】
【発明が解決しようとする課題】
【０００５】
従来のプラスチック製や発泡スチロール製のトレー容器において、容器として使用後の廃棄に問題があるため、現状、使用後、これらのトレー容器は、回収し再利用を図るか、又は燃焼処理するか、等の処理がなされているが、いずれも満足し得る状態でなく、特に、ゴミとして焼却した際に、有毒ガスを発生し環境汚染の原因にもなっており、その使用量の削減等が求められている。
又、プラスチック製のトレー容器を使用した密閉包装内に閉じ込められた生鮮食品から発する水分が、トレー容器の底面に溜まり、水滴化し底面に溜まった水により茸類や青菜等の生鮮食品を品質低下させることがある。
【０００６】
紙製トレー容器において、従来のプラスチック製や発泡スチロール製のトレー容器に代わる回収利用、及び、廃棄処理の容易な、環境にやさしい紙製トレー状容器が提案、採用されて来ている。しかし、１枚乃至、複数の紙材を折り曲げ、重合部に接着剤を貼着し、組立てる構造の為、プラスチック製の様に大量に、安価に製作できないため、この紙製トレー容器を、接着剤を貼着する事無く、簡易折り曲げ、組立することにより、材料、製造工程を簡便化することにある。
【課題を解決するための手段】
【０００７】
上記課題を解決するため、この発明は、１枚のみの紙材から折り曲げ、組立てる紙製トレー状容器にあって、底面１の六辺形縁に連設した側壁面2、3を起立させ、これら側壁面２に連接する補助側壁片４、端側壁片５を内側へ折り曲げ、端側壁片５の端に形成する突起片５A、５B、５C、５Dを側壁面3上の切込み３A、３B、３C、３Dに差込み、係合連結させ、貼着等を行うことなく、1枚の紙から手組みで簡単に組立てられるようにしたものである。
【発明の効果】
【０００８】
本発明は次のような効果がある。
１．この発明の紙製容器は、一枚の紙材のみを使用し、工程の少ない一連の折り曲げ作業で、接着剤を貼着すること無く、簡単に、確実に、紙製トレー状容器を組立てる事ができ材料費、組立費のコストを低減される。
【０００９】
２．この発明の紙製容器は、１枚の紙材のみで構成される容器である事から、容器としての使用後、そのまま燃焼ゴミとして廃却する事ができ、環境汚染等の原因にならないものである。又、省資源省エネルギーのために廃棄物を回収し紙資源として再利用できる点でも効果が高いものである。
【００１０】
３．本発明の紙製容器は、紙製の容器である事から、密閉包装容器で茸類や青菜等の生鮮食品から蒸発する水分が水滴化して容器の底面に付着し、底面に落ちて水滴化した水分を紙で吸収し、紙容器の側面や底面に水が溜まる事がないため、生鮮食品の品質低下を防ぐことができ、生鮮食品の包装用紙製容器として、使用範囲を広げることができる。
【発明を実施するための最良の形態】
【００１１】
以下、図１乃至図３に基づいて本発明を具体的に説明する。
図１は、本発明の実施の形態を示す紙製トレー状容器の紙材Aの展開例を示す平面図であり、紙材Aは、底面１の多辺形縁の折り曲げ線１ａ、１ｂ、１ｃ、１ｄを介して側壁面２、及び切込み３Ａ、３Ｂ、３Ｃ、３Ｄを有する側壁面３を連設され、側壁面２の両端に折り曲げ線２ａ、２ｂ、２ｃ、２ｄを介し補助側壁片４を連設される。
【００１２】
補助側壁片４の外端には折り曲げ線４ａ、４ｂ、４ｃ、４ｄを介し突起片５Ａ、５Ｂ、５Ｃ、５Ｄを有する端受片５を連設され、補助側壁片４、端受片５の端面に折り曲げ線６ａ、６ｂ、６ｃ、６ｄ及び７ａ、７ｂ、７ｃ、７ｄを介し端底片６、７を連接される。
【００１３】
次に、上記のように展開形成された紙材Ａにより本発明の紙製トレー容器を組立てる工程を、図１、２、３に基づいて説明する。
先ず、補助側壁片４及び、端受片５を折り曲げ線２ａ、２ｂ、２ｃ、２ｄ及び、４ａ、４ｂ、４ｃ、４ｄに沿って内側に折り曲げ、続けて、折り曲げ線６ａ、６ｂ、６ｃ、６ｄ及び７ａ、７ｂ、７ｃ、７ｄに沿って端底片６、７を内側に折り曲げた後に、底面１の多辺形縁の折り曲げ線１ａ、１ｂ、１ｃ、１ｄに沿って側壁面２、３を内側に起立させて、上面開口の箱型構造を形成される。
【００１４】
次に、端受片５の端に形成する突起片５A、５B、５C、５Dを側壁面３上の切込み３A、３B、３C、３Dに挿入、係合連結し、最後に、端受片５の下方を側壁面３の下方に密着させ、突起片５A、５B、５C、５Dを押し上げ、切込み３A、３B、３C、３Dに深く挿入することにより、箱型容器の型崩れをより防ぎ、より強固な、接着剤を貼着すること無く、係合連結、固定し、上面開口の箱型構造の紙製トレー状容器を形成される。
【図面の簡単な説明】
【００１５】
【図１】本発明の紙製トレー状容器の展開例を示す紙材の平面図。
【図２】本発明の紙製トレー状容器の外観を示す実施例の正面図。
【図３】本発明の紙製トレー状容器の外観を示す実施例の平面図。
【図４】本発明の紙製トレー状容器の組立状態を示す斜視図。
【符号の説明】
【００１６】
Ａ    紙製トレー状容器の紙材
Ｂ    紙製トレー状容器
１  底面
２  側壁面
３  側壁面
４  補助側壁片
５  端受片
６  端底片
７  端底片
３Ａ、３Ｂ、３Ｃ、３Ｄ  切込み
５Ａ、５Ｂ、５Ｃ、５Ｄ  突起片
１ａ、１ｂ、１ｃ、１ｄ  折り曲げ線
２ａ、２ｂ、２ｃ、２ｄ  折り曲げ線
４ａ、４ｂ、４ｃ、４ｄ  折り曲げ線
６ａ、６ｂ、６ｃ、６ｄ  折り曲げ線
７ａ、７ｂ、７ｃ、７ｄ  折り曲げ線
【図１】
2006232315.tif 000003
【図２】
2006232315.tif 000004
【図３】
2006232315.tif 000005
【図４】
2006232315.tif 000006